(57)【要約】【目的】水垢や雑菌等から清潔に保つことのできる、衛生上優れた浄水装置を提供することを目的としている。【構成】この浄水装置は、上部に縮径部２を備えた略円筒型箱体ケース体１を有する。化粧キャップ部３上部よりフレキシブルチューブ５が外方に延出されている。フレキシブルチューブ５はチューブ内部に送水ホース６を挿通させて、送水ホース６を被覆している。送水ホース６の吐水口７は先端キャップ８の開放端８２より外方に突出している。ノズル２４に送水ホース６の始端を嵌着することにより、送水ホース６と浄水部とが一体化されている。【選択図】  図１
2007167722.tif 000002
【特許請求の範囲】
【請求項１】
流入口より導入された被浄化水を流通させながら浄化した浄化水を流出口から送出する浄水部と、この浄水部を取替自在に収納する箱形筐体と、前記流出口に連通して前記浄化水を吐出する送水管とを有する浄水装置において、
前記箱形筺体又は前記浄水部に基端が取り付けられた被覆管を設け、前記被覆管に前記送水管を挿入して、前記送水管の吐水口を前記被覆管の先端開口より外部に突出させ、前記浄水部及び前記送水管を前記箱形筺体に対して一体的に取替自在にしたことを特徴とする浄水装置。
【請求項２】
前記浄水部の前記流出口に、前記送水管の始端が嵌着されるノズル部を設け、
前記基端部分が前記ノズル部を覆う中空ホルダ部からなり、
前記中空ホルダ部の先端面を前記ノズル部の外周部分に載置し、その載置状態を、前記中空ホルダ部に外嵌された締結部材により保持して、前記中空ホルダ部の中空部により、前記始端部分を密閉する密閉空間を形成してなる請求項１に記載の浄水装置。
【請求項３】
前記送水管は可撓性ホースからなり、前記可撓性ホースの始端を前記ノズル部に嵌着して、前記浄水部及び前記送水管を一体化した請求項１又は２のいずれかに記載の浄水装置。
【請求項４】
前記中空ホルダ部の載置状態は、前記締結部材の締結により軸回りに回動不能に保持され、前記被覆管の回動操作により前記浄水部が軸回りに回動可能に設けられている請求項２又は３のいずれかに記載の浄水装置。
【請求項５】
前記中空ホルダ部の載置状態は、前記被覆管の回動操作により軸回りに回動可能に保持され、前記浄水部は軸回りに回動不能に設けられている請求項２又は３のいずれかに記載の浄水装置。
【請求項６】
前記連結部分を覆う化粧キャップ部を着脱自在に前記箱形筐体に冠着した請求項１〜５のいずれかに記載の浄水装置。
【請求項７】
前記浄水部は合成樹脂製容器からなり、前記合成樹脂製容器と前記送水管とを一体成型して前記送水管を前記流出口に連通させた請求項１〜６のいずれかに記載の浄水装置。
【請求項８】
前記ノズル部に嵌着された前記可撓性ホースの始端の外周に、前記始端を前記ノズル部に圧着させる圧着部材を設けた請求項３〜６のいずれかに記載の浄水装置。
【請求項９】
前記浄水部は、前記被浄化水をろ過して浄化するろ過部材を含む交換可能なカートリッジからなり、前記被浄化水を前記ろ過部材内に流通させて浄化する請求項１〜８のいずれかに記載の浄水装置。
【請求項１０】
前記ろ過部材は、中空糸、セラミック膜、活性炭又はイオン交換物質の一つ以上からなる請求項９に記載の浄水装置。
【請求項１１】
前記送水管及び前記被覆管は可撓性素材からなる請求項１〜１０のいずれかに記載の浄水装置。
【発明の詳細な説明】
【技術分野】
【０００１】
この発明は、例えば、活性炭やイオン交換物質等により水道水等の原水を浄化する浄水装置に関する。
【背景技術】
【０００２】
この種の浄水装置には、家庭等の水道の蛇口にコンパクトに取り付けられる簡易型浄水装置がある。特許文献１には切換式浄水装置の一例が示されている。この切換式浄水装置は、水道の蛇口に接続される原水入口を、レバー操作により、原水出口と浄化水供給口に切換自在に接続する切換バルブと、浄化水出口を有するとともに切換バルブの浄化水供給口に着脱自在に接続されるろ過器とからなる。
これに対し、特許文献２に示されるように、水道の蛇口に直結される流水式浄水装置がある。この流水式浄水装置にはカートリッジ式の浄水部が具備されており、その内部構造を図６により説明する。
カートリッジ収容部１００は、円筒ケース１０１と、円筒ケース１０１上部に被着される蓋体１０２からなる。円筒ケース１０１内には、隔壁によって複数のろ過室Ａ、Ｂ、Ｃに区分けされた、ろ過材カートリッジ１０３及び中空糸カートリッジ１０４が収納されている。蓋体１０２には中空糸カートリッジ１０４の浄水出口１１０に連通した送水管１０８が内設されている。円筒ケース１０１下部の基台１０５には給水口１０９が設けられている。給水口１０９にはホース１０６が取り付けられ、ホース１０６の他端は蛇口（図示せず）に接続される。なお、図中の矢印は流水の流れ方向を示す。
【０００３】
上記構成に係る従来の浄水装置において、ホース１０６を介して給水口１０９に給水された原水は、ろ過材カートリッジ１０３のろ過室Ａ、Ｂ、Ｃを経て、更に中空糸カートリッジ１０４を流通してろ過される。そして、そのろ過された浄水は浄水出口１１０より送水管１０８に流出し、送水管１０８の吐水口１０７より吐出される。長期に使用すると、ろ過材カートリッジ１０３及び中空糸カートリッジ１０４が水垢等によって汚れるので、蓋体１０２を外して、使用済みのろ過材カートリッジ１０３及び中空糸カートリッジ１０４を取り出して新品のカートリッジに取り替えるカートリッジ脱着構造となっている。
【特許文献１】特開平９−１７４０４１号公報
【特許文献２】特開平８−２５７５５９号公報
【発明の開示】
【発明が解決しようとする課題】
【０００４】
しかし、上記従来の浄水部においては、カートリッジ収容部１００のろ過材カートリッジ１０３及び中空糸カートリッジ１０４のみを脱着するカートリッジ脱着構造となっており、送水管１０８は蓋体１０２に内側に取り付けられたままで送水管１０８を取替えない固定構造となっていた。このため、浄水口より残留塩素を含まない水が通る送水管１０８の管内や浄水出口１１０付近に、水垢や雑菌が滞留する問題があった。特に、大気に触れやすい送水管１０８先端付近の蓋体１０２部分に滴が伝って残ったりして、雑菌が繁殖するといった問題があった。しかも、送水管１０８を清掃するには蓋体１０２から分解して行う必要があり、また比較的細い送水管１０８の管内を清掃するには手間を要した。
【０００５】
この発明は、上記従来の実情に鑑みてなされたものであり、水垢や雑菌等から清潔に保つことのできる、衛生上優れた浄水装置を提供することを目的としている。
【課題を解決するための手段】
【０００６】
この発明は、上記課題を達成するためになされたものであり、本発明の第１の形態は、流入口より導入された被浄化水（原水）を流通させながら浄化した浄化水を流出口から送出する浄水部と、この浄水部を取替自在に収納する箱形筐体と、前記流出口に連通して前記浄化水を吐出する送水管とを有する浄水装置において、前記送水管の始端を前記流出口に連結して前記送水管を前記浄水部に一体化させ、前記箱形筺体又は前記浄水部に基端が取り付けられた被覆管を設け、前記被覆管に前記送水管を挿入して、前記送水管の吐水口を前記被覆管の先端開口より外部に突出させ、前記浄水部及び前記送水管を前記箱形筺体に対して一体的に取替自在にした浄水装置である。
【０００７】
本発明の第２の形態は、前記第１の形態において、前記浄水部の前記流出口に、前記送水管の始端が嵌着されるノズル部を設け、
前記基端部分が前記ノズル部を覆う中空ホルダ部からなり、前記中空ホルダ部の先端面を前記ノズル部の外周部分に載置し、その載置状態を、前記中空ホルダ部に外嵌された締結部材により固定保持して、前記中空ホルダ部の中空部により、前記始端部分を密閉する密閉空間を形成してなる浄水装置である。
【０００８】
本発明の第３の形態は、前記第１又は第２の形態において、前記送水管は可撓性ホースからなり、前記可撓性ホースの始端を前記ノズル部に嵌着して、前記浄水部及び前記送水管を一体化した浄水装置である。
【０００９】
本発明の第４の形態は、前記第２又は３の形態において、前記中空ホルダ部の載置状態は、前記締結部材の締結により軸回りに回動不能に保持され、前記被覆管の回動操作により前記浄水部が軸回りに回動可能に設けられている浄水装置である。
【００１０】
本発明の第５の形態は、前記第２又は３の形態において、前記中空ホルダ部の載置状態は、前記被覆管の回動操作により軸回りに回動可能に保持され、前記浄水部は軸回りに回動不能に設けられている浄水装置である。
【００１１】
本発明の第６の形態は、前記第１〜５のいずれかの形態において、前記連結部分を覆う化粧キャップ部を着脱自在に前記箱形筐体に冠着した浄水装置である。
【００１２】
本発明の第７の形態は、前記第１〜６のいずれかの形態において、前記浄水部は合成樹脂製容器からなり、前記合成樹脂製容器と前記送水管とを一体成型して前記送水管を前記流出口に連通させた浄水装置である。
【００１３】
本発明の第８の形態は、前記第３〜６のいずれかの形態において、前記ノズル部に嵌着された前記可撓性ホースの始端の外周に、前記始端を前記ノズル部に圧着させる圧着部材を設けた浄水装置である。
【００１４】
本発明の第９の形態は、前記第１〜８のいずれかの形態において、前記浄水部は、前記被浄化水をろ過して浄化するろ過部材を含む交換可能なカートリッジからなり、前記被浄化水を前記ろ過部材内に流通させて浄化する浄水装置である。
【００１５】
本発明の第１０の形態は、前記第９の形態において、前記ろ過部材は、中空糸、セラミック膜、活性炭又はイオン交換物質の一つ以上からなる浄水装置である。
【００１６】
本発明の第１１の形態は、前記第１〜１０のいずれかの形態において、前記送水管及び前記被覆管は可撓性素材からなる浄水装置である。
【発明の効果】
【００１７】
本発明の第１の形態によれば、前記送水管の始端を前記流出口に連結して前記送水管を前記浄水部に一体化させ、前記箱形筺体又は前記浄水部に基端が取り付けられた被覆管を設け、前記被覆管に前記送水管を挿入して、前記送水管の吐水口を前記被覆管の先端開口より外部に突出させ、前記浄水部及び前記送水管を前記箱形筺体に対して一体的に取替自在にしたので、前記浄水部の取替えの際、前記浄水部に一体化させた前記送水管を同時に取り替えることができ、水垢や雑菌が滞留することなく、前記送水管及前記浄水部を常時、清潔な状態に保ちながら浄水を得ることができる。しかも、一体化した前記送水管と前記浄水部を装着すると、前記送水管の吐水口が前記被覆管の先端開口より外部に突出した状態になるので、前記吐水口付近における水切り効果により前記被覆管の先端開口付近に滴が伝って残ったりせず、言い換えると前記吐水口付近で雑菌が繁殖するおそれがなくなり、衛生上優れた浄水装置を実現することができる。なお、本発明における前記被覆管には、例えば、前記送水管をインナーチューブとして被覆するチューブ状形態だけでなく、例えば、特許文献２に開示された蓋体１０２のように、前記送水管が内設されるカバー形態が含まれる。
【００１８】
本発明の第２の形態によれば、前記浄水部の前記流出口に、前記送水管の始端が嵌着されるノズル部を設け、前記基端部分が前記ノズル部を覆う中空ホルダ部からなり、前記中空ホルダ部の先端面を前記ノズル部の外周部分に載置し、その載置状態を、前記中空ホルダ部に外嵌された締結部材により固定保持して、前記中空ホルダ部の中空部により、前記始端部分を密閉する密閉空間を形成してなるので、前記中空ホルダ部内側に形成される前記密閉空間に、前記送水管の始端と前記ノズル部との嵌着状態を内装するように前記締結部材により固定保持できる。つまり、本形態に係る前記密閉空間の形設により、前記浄水部及び前記送水管の一体化保持構造を簡単な構成により簡易に組み付けることができ、組み立て作業性の向上を図ることができ、しかも簡単構造により組み立て材料コストの低減化も実現できる。
【００１９】
本発明の第３の形態によれば、前記送水管が可撓性ホースからなり、前記可撓性ホースの始端を前記ノズル部に嵌着して、前記浄水部及び前記送水管を一体化したので、前記浄水部及び前記送水管の一体化構造を簡単な構成により簡易に組み付けることができ、組み立て作業性の向上と、更に簡単構造により組み立て材料コストの低減化を実現できる。
【００２０】
本発明の第４の形態によれば、前記第２又は３の形態において、前記中空ホルダ部の載置状態は、前記締結部材の締結により軸回りに回動不能に保持され、前記被覆管の回動操作により前記浄水部が軸回りに回動可能に設けられているので、前記被覆管を回すことにより、前記被覆管とともに前記浄水部が回動して、前記送水管の吐水口を任意の位置に移動させることのできる、使用特性に優れた浄水装置を実現することができる。
【００２１】
本発明の第５の形態によれば、前記第２又は３の形態において、前記中空ホルダ部の載置状態は、前記被覆管の回動操作により軸回りに回動可能に保持され、前記浄水部は軸回りに回動不能に設けられているので、前記被覆管を回すことにより、前記送水管の吐水口を任意の位置に移動させることのできる、使用特性に優れた浄水装置を実現することができる。
【００２２】
本発明の第６の形態によれば、前記連結部分を覆う化粧キャップ部を着脱自在に前記箱形筐体に冠着したので、前記送水管の始端の取り付け部分等が外気に直接晒されないようして、大気中に浮遊する塵芥や雑菌等の汚染物質が前記連結部分に付着したり堆積したりせず、より清潔な浄水処理が可能となる浄水装置を実現することができる。
【００２３】
本発明の第７の形態によれば、前記浄水部は合成樹脂製容器からなり、前記合成樹脂製容器と前記送水管とを一体成型して前記送水管を前記排水口に連通させたので、前記浄水部及び前記送水管をワンタッチで着脱できる一体化構造を具備した浄水装置を実現することができる。
【００２４】
本発明の第８の形態によれば、前記ノズル部に嵌着された前記可撓性ホースの始端の外周に、前記始端を前記ノズル部に圧着させる圧着部材を設けたので、前記浄水部及び前記送水管を簡単かつ安価に一体化して、しかもワンタッチで着脱できる一体化構造を具備した浄水装置を実現することができる。
【００２５】
本発明の第９の形態によれば、前記浄水部は、前記被浄化水をろ過して浄化するろ過部材を含む交換可能なカートリッジからなり、前記被浄化水を前記ろ過部材内に流通させて浄化するので、カートリッジ式の前記浄水部と前記送水管とを一体化した浄水装置を実現することができる。
【００２６】
本発明の第１０の形態によれば、前記ろ過部材は、中空糸、セラミック膜、活性炭又はイオン交換物質の一つ以上からなるので、浄水性能に優れ、かつ清潔に浄水を生成処理可能な浄水装置を実現することができる。イオン交換物質は、例えばイオン交換樹脂、イオン交換体等である。
【００２７】
本発明の第１１の形態によれば、前記送水管及び前記被覆管は可撓性素材からなるので、例えば、前記送水管及び前記被覆管のそれぞれに、軟性樹脂製ホース、蛇腹式金属製フレキシブルチューブを用いて、前記送水管の吐水口を任意の方向に向けることのできる、操作性に富んだ便利な浄水装置を実現することができる。前記被覆管の可撓性素材として、金属線材等をメッシュ状に編んだ網状部材を使用することもできる。
【発明を実施するための最良の形態】
【００２８】
以下、この発明の実施形態を図面に基づいて説明する。
図１はこの発明の実施形態に係る浄水装置の外観を示す。同図に示すように、この浄水装置は、上部に縮径部２を備えた略円筒型箱体のケース体１を有する。縮径部２の頂部には化粧キャップ部３が螺着係合により着脱自在に取り付けられている。化粧キャップ部３上部より蛇腹式金属製フレキシブルチューブ５が外方に延出されている。フレキシブルチューブ５はチューブ内部に送水ホース６を挿通させて、送水ホース６を被覆している。ケース体１下部の基台１５より給水ホース４が外方に延出されている。ケース体１には、給水ホース４よりを導入された原水を流通させながら浄化し、浄化水を送水ホース６を通じて吐水口７側に送出する浄水部が取替自在に収納されている。ケース体１下端部内側に螺着部２９が内設され、螺着部２９を基台１５側の螺着部３０に螺着することにより、ケース体１は基台１５に取り付けられる。
図４はこの浄水装置の送水ホース６の先端部分を示す。フレキシブルチューブ５の先端は先端キャップ８の凹部８１内部に無理ばめにより嵌着されている。フレキシブルチューブ５及び先端キャップ８は本発明の被覆管を構成する。送水ホース６の吐水口７は先端キャップ８の開放端８２より１〜２ｃｍ外方に突出している。送水ホース６は軟性合成樹脂からなり、蛇腹式のフレキシブルチューブ５内に装着することにより、吐水口７を任意の方向に移動させることができ、使用特性の向上を図っている。ケース体１等の容器部材は安価に多量製造できる樹脂製部材からなる。
【００２９】
図２はこの浄水装置の縦断面を示す。図３は縮径部２上部の内部構造を示す図である。
浄水部はろ過部材を収納する合成樹脂製カートリッジで構成されており、このカートリッジは上部１１、中央部９及び底部１０からなる。上部１１は中央部９と一体に形成され、底部１０には中央部９と着脱自在に螺着部が形成されている。上部１１、中央部９及び底部１０には、それぞれ中空糸、活性炭、イオン交換樹脂のろ過部材が収納される。縮径部２に位置する上部１１は、中央部９を通過した浄化水の流速が増大するように中央部９より縮径されている。上部１１に用いる中空糸ろ過部材は、例えば中空の極細繊維素体束からなる。極細繊維素体には、側壁に多数の孔が開口した多孔性のファイバー材が、微細な不純物やバクテリア等の微生物をろ過するに好適である。底部１０を外すことにより上部１１及び中央部９にろ過部材を充填できる。底部１０の下部は基台１５に連結され、原水導入口１４が開口されている。
【００３０】
上部１１の頂部にはノズル部１６が形成されている。ノズル部１６中央に浄化水の流出口２３が設けられており、流出口２３に連通するノズル２４が突設されている。ノズル２４に送水ホース６の始端を嵌着することにより、送水ホース６と浄水部とが一体化されている。送水ホース６はノズル２４に嵌着した状態で、上述のように、送水ホース６の吐水口７が先端キャップ８の開放端８２より１〜２ｃｍ外方に突出する長さに設定されている。これにより、吐水口７付近における水切り効果により先端キャップ８の開放端８２付近に滴が伝って残ったりすることがなく、吐水口７付近で雑菌が繁殖するのを防止でき、清潔性をより良好に維持できる。送水ホース６始端の嵌着状態は圧着部材２１により保持される。図５の（５Ａ）は圧着部材２１を示す。圧着部材２１は、ノズル２４に嵌着した送水ホース６始端より小さい内径を有した合成樹脂製円筒体からなり、側面に切り欠き２８が形成されている。ノズル２４外周に嵌着された送水ホース６始端を覆うように圧着部材２１を外嵌することにより、送水ホース６始端をノズル２４外周に圧着させ、圧着部材２１の樹脂弾性力によってその嵌着状態を保持している。図５の（５Ｂ）は送水ホース６始端をノズル２４外周に圧着させる圧着部材の別の例を示す。この圧着部材３０は、ノズル２４に嵌着した送水ホース６始端より小さい内径を有した、１重リング状の金属線材３５からなり、線材３５の両端に摘み３１、３２が形成されている。摘み３１、３２には指で摘み易いように小さなリング３３、３４がそれぞれ形成されている。圧着部材３０によれば、摘み３１、３２を押さえることにより金属線材３５の内径が拡げて、送水ホース６を挿通させ、ノズル２４外周に嵌着された送水ホース端を覆うように外嵌することにより、送水ホース６始端をノズル２４外周に圧着させ、金属線材３５のバネ弾性力によってその嵌着状態を保持できる。本発明の圧着部材には多重に巻回したコイル状の金属又は弾性樹脂材あるいは、送水ホース６始端外周を挟持する弾性クランプ等を使用することができる。
【００３１】
上記の一体化構造を保持する保持機構を図３により詳述する。フレキシブルチューブ５の基端部分１８の先端にはチューブ本体より拡径された金属性中空ホルダ部１９が一体に取り付けられている。金属性中空ホルダ部１９を含む基端部分１８はフレキシブルチューブ５に溶着することにより固着されている。フレキシブルチューブ５の基端部分１８の先端を無理ばめにより中空ホルダ部１９に一体化して固着してもよい。中空ホルダ部１９の下端面はノズル２４を覆うようにノズル部１６上面の外周部分に載置される。この載置状態により、中空ホルダ部１９の中空部が、圧着部材２１により保持された、送水ホース６始端の嵌着状態を覆い、該始端部分を密閉する密閉空間が形成される。中空ホルダ部１９をノズル部１６の外周部分に載置した状態において、締着ナット２０を中空ホルダ部１９に対して外嵌し、ノズル部１６側面の係合突起部１７と螺着させることにより、締着ナット２０の鍔部２２と中空ホルダ部１９の肩部との係合により締着ナット２０の締結力を加えることができる。
【００３２】
浄水部の下方における中央部９及び底部１０は、原水導入口１４の中心軸周りに回動自在に基台１５上部の回動軸受け部３１に装着されている。上述のように、締着ナット２０により中空ホルダ部１９を介して、フレキシブルチューブ５の基端部分１８が前記浄水部と一体的に連結されており、中空ホルダ部１９の載置状態は、中心軸回りに回動不能に保持され、かつフレキシブルチューブ５の回動操作により前記浄水部が中心軸回りに回動可能に設けられている。従って、フレキシブルチューブ５を回すことにより、フレキシブルチューブ５とともに前記浄水部が回動して、送水ホース６の吐水口７を任意の位置に移動させることができる。言い換えると、フレキシブルチューブ５及び送水ホース６を種々の向きに動かしても送水ホース６がノズル２４より外れない保持構造により、使用特性に優れた浄水装置を実現することができる。しかも、中空ホルダ部１９内側に形成される前記密閉空間に、送水ホース６始端の嵌着状態を内装して、締着ナット２０の締め付け作用により固定保持して、送水ホース６と浄水部との一体化保持構造を簡単かつ簡易に組み立てられ、組み立て作業性の向上を図ることができ、しかも簡単構造により組み立て材料コストの低減化も実現できる。
なお、前記浄水部を基台１５に対して軸周りに回動不能に取り付け、また前記浄水部の上部１１に、中空ホルダ部１９を回動自在に保持する軸受け部（図示せず）を設けることにより、前記浄水部を回さないでフレキシブルチューブ５を回すことにより、送水ホース６の吐水口７を任意の位置に移動させるようにしてもよい。
【００３３】
本実施形態においては、浄水部及び送水ホース６をケース体１に対して一体的に取替自在にしているので、浄水部の取替えの際、送水ホース６も同時にワンタッチで取り外した後、一体化された浄水部及び送水ホースの新品を簡単に入れ替えることができ、水垢や雑菌が滞留することなく、送水ホース６と浄水部を常時、清潔な状態に保ちながら浄水を得ることができる。しかも、一体化した送水ホース６を浄水部を装着すると、送水ホース６の吐水口７が先端キャップ８先端開口より外部に突出した状態になるので、吐水口７付近における水切り効果により、先端キャップ８の先端開口付近の隙間に毛細管現象により滴が伝って残ったりせず、言い換えると吐水口７付近で雑菌が繁殖するおそれがなくなり、衛生上優れた浄水装置を実現することができる。
また、上部保持構造における送水ホース６と浄水部との連結部分において、化粧キャップ部３を縮径部２に着脱自在に冠着することにより、送水ホース６始端の取り付け部分等が外気に直接晒されないようして、大気中に浮遊する塵芥や雑菌等の汚染物質が付着したり堆積したりせず、より清潔な浄水処理が可能となる。化粧キャップ部３の開口部裏側には、フレキシブルチューブ５基端部分１８を支持するガイド突起２５が突設されている。
【００３４】
上記構成の浄水装置においては、浄水部のろ過材を交換する際には、化粧キャップ部３を外して締着ナット２０の締結を解除することにより、フレキシブルチューブ５の基端部分１８を引き出して、送水ホース６始端の嵌着状態の被覆状態を開放でき、更にフレキシブルチューブ５を引き抜くことにより、送水ホース６と浄水部とが一体化した状態が露出される。そして、ケース体１と基台１５との係合状態を解除してケース体１を取り外すと、浄水部が取替え可能な状態になるため、ワンタッチでろ過部材のカートリッジ交換作業を行える。
【００３５】
尚、上記実施形態に限定されるものではなく、本発明の技術的思想を逸脱しない範囲における種々変形例、設計変更などをその技術的範囲内に包含するものであることは云うまでもない。
【産業上の利用可能性】
【００３６】
本発明によれば、ろ過部材取替え可能な流水式浄水装置に適用して、簡単な構造で取り替え作業性が良好で、かつ、衛生面で優れた浄水装置を提供することができる。
【図面の簡単な説明】
【００３７】
【図１】本発明の実施形態に係る浄水装置の外観図である。
【図２】前記浄水装置の縦断面図である。
【図３】縮径部２上部の内部構造を示す拡大断面図である。
【図４】送水ホース６の先端部分を示す断面図である。
【図５】圧着部材２１及びその変形例を示す図である。
【図６】従来の浄水装置の縦断面図である。
【符号の説明】
【００３８】
１          ケース体
２          縮径部
３          化粧キャップ部
４          給水ホース
５          フレキシブルチューブ
６          送水ホース
７          吐水口
８          先端キャップ
９          中央部
１０        底部
１１        上部
１２        取り付けノズル
１４        原水導入口
１５        基台
１６        ノズル部
１７        係合突起部
１８        基端部分
１９        中空ホルダ部
２０        締着ナット
２１        圧着部材
２２        鍔部
２３        流出口
２４        ノズル
２５        ガイド突起
２６        流入路
２８        切り欠き
２９        螺着部
３０        螺着部
３１        回動軸受け部
８１        凹部
８２        開放端
１００      カートリッジ収容部
１０１      円筒ケース
１０２      蓋体
１０３      ろ過材カートリッジ
１０４      中空糸カートリッジ
１０５      基台
１０６      ホース
１０７      吐水口
１０８      送水管
１０９      給水口
１１０      浄水出口
Ａ〜Ｃ      ろ過室
【図１】
2007167722.tif 000003
【図２】
2007167722.tif 000004
【図３】
2007167722.tif 000005
【図４】
2007167722.tif 000006
【図５】
2007167722.tif 000007
【図６】
2007167722.tif 000008